(57)【要約】      （修正有）【課題】効率的な積載・運搬を可能にし、運搬コストを低減することのできる土木構築ブロックを提供する。【解決手段】所定の壁面勾配を有する土木構築物１及びこの構築に用いられる土木構築ブロック２である。土木構築ブロック２は、ブロック本体と、前記ブロック本体の背面に設けられた支持部材２２とを備える。支持部材２２は、前記ブロック本体を、前記所定の壁面勾配を形成する立ち上げ姿勢になるように支持し、前記ブロック本体の背面に所定の裏込めコンクリート４を充填するための空間を形成するように構成される。【選択図】図１
2018003476.tif 000002
【特許請求の範囲】
【請求項１】
所定の壁面勾配を有する土木構築物の構築に用いられる土木構築ブロックであって、
ブロック本体と、
前記ブロック本体の背面に設けられた支持部材とを、備え、
前記支持部材は、
前記ブロック本体を、前記所定の壁面勾配を形成する立ち上げ姿勢になるように支持し、前記ブロック本体の背面に所定の裏込めコンクリートを充填するための空間を形成するように構成される、
土木構築ブロック。
【請求項２】
前記支持部材は、底端部及び上端部を含み、
前記底端部及び前記上端部は、前記立ち上げ姿勢において、地面に対して略水平になるように構成される、
請求項１記載の土木構築ブロック。
【請求項３】
前記支持部材の上端部は、当該土木建築ブロック上に積み上げられる他の土木建築ブロックの支持部材の底端部を受け支えるように構成される、
請求項２記載の土木構築ブロック。
【請求項４】
前記支持部材は、後端部を含み、
前記後端部は、前記空間を形成するために、前記ブロック本体の背面から所定の距離だけ離間して構成される、
請求項１ないし３のいずれか１項に記載の土木構築ブロック。
【請求項５】
複数の土木構築ブロックを段積みすることによって構築される所定の壁面勾配を有する土木構築物であって、
前記複数の土木構築ブロックのそれぞれは、
ブロック本体と、
前記ブロック本体の背面に設けられた支持部材とを、備え、
前記支持部材は、
前記ブロック本体を、前記所定の壁面勾配を形成する立ち上げ姿勢になるように支持し、前記ブロック本体の背面に所定の裏込めコンクリートを充填するための空間を形成するように構成され、
第１の土木構築ブロック上に第２の土木構築ブロックが段積みされた場合に、前記第１の土木構築ブロックの前記支持部材が、前記第２の土木構築ブロックの前記支持部材に当接し受け支える、
土木構築物。
【請求項６】
前記支持部材は、底端部及び上端部を含み、
前記底端部及び前記上端部は、前記立ち上げ姿勢において、地面に対して略水平になるように構成される、
請求項５記載の土木構築物。
【請求項７】
前記支持部材は、後端部を含み、
前記後端部は、前記空間を形成するために、前記ブロック本体の背面から所定の距離だけ離間して構成される、
請求項５又は６記載の土木構築物。
【請求項８】
段積みされた前記複数の土木構築ブロックは、当接する前記支持部材どうしを締結する締結具を含む、請求項５ないし７のいずれか１項に記載の土木構築物。
【請求項９】
段積みされた前記複数の土木構築ブロックは、前記ブロック本体どうしを連結する連結部材をさらに含む、請求項５ないし８のいずれか１項に記載の土木構築物。
【請求項１０】
所定の壁面勾配を有する土木構築物を構築する方法であって、
ブロック本体と、前記ブロック本体の背面に設けられた支持部材とを備える土木構築ブロックを複数準備する工程と、
第１の土木構築ブロックを、当該ブロック本体が当該支持部材によって前記所定の壁面勾配を形成する立ち上げ姿勢で支持されるように、設置する工程と、
前記第１の土木構築ブロックの背面の前記支持部材によって形成される空間にコンクリートを充填する工程と、
前記コンクリートの打設後、第２の土木構築ブロックを、前記第１の土木構築ブロック上に、前記支持部材どうしが当接するように設置する工程と、
前記第２の土木構築ブロックの背面の前記支持部材によって形成される空間にコンクリートを充填する工程と、
を含む方法。
【発明の詳細な説明】
【技術分野】
【０００１】
本発明は、土木構築ブロック及びこれを用いた土木構築物、並びに土木構築物を構築する方法に関する。
【背景技術】
【０００２】
従来より、コンクリート製の土木構築ブロックを積み上げて、擁壁や護岸のような土木構築物を構築する方法が知られている。具体的には、施工現場での一定の施工区間において、下段から順次に土木構築ブロックを設置して裏込め材料を注入することを繰り返すことにより、所望の高さまで土木構築ブロックを積み上げて、土木構築物を構築する。
【０００３】
例えば、下記特許文献１は、土木構築物用構築材を積み上げて土木構築物を構築する技術を開示する。かかる土木構築物用建築材は、擬石ブロックが鉄筋を介して横断方向に連結され形成された壁面パネルであり、その背面側には、後方に延出する複数のアンカーが設けられている。土木構築物の施工に際しては、土木構築物用建築材を積み上げるごとに、アンカーが埋設されるようコンクリートを充填していく。
【０００４】
下記特許文献２もまた、土木構築物としての擁壁を、構築材を積み上げることにより構築する技術を開示する。かかる構築材の背面側には、裏込めコンクリートの厚さに応じた長さを有する位置規制部材が突出して形成されている。同様に、施工に際しては、型枠を、積み上げられた複数の構築材から延びる位置規制部材の先端に当接するように配設した状態で、型枠の前方空間にコンクリートを充填する。
【先行技術文献】
【特許文献】
【０００５】
【特許文献１】特許３８８３８３０号公報
【特許文献２】特開２０１４-１３４００６号公報
【発明の概要】
【発明が解決しようとする課題】
【０００６】
上記従来の土木構築物の構築に用いられる土木構築ブロックは、その背面側にアンカーが延出しているため、運搬時に効率的な積載をすることができず、また、意図しない接触等によりアンカーが損傷し易いという問題があった。
【０００７】
また、従来の土木構築ブロックは、そのままでは自立性に欠けるため、特許文献２に示される土木構築ブロックは、控え柱を設けることにより自立性が確保されている。しかしながら、控え柱は、通常、ブロック本体と同じコンクリートで作製されているため、十分な自立性を確保しようとすると、土木構築ブロック自体が重くなってしまい、運搬コストが嵩むという問題がある。したがって、運搬コストを考慮すると、ある程度の自立性を犠牲にしなければならなかった。
【０００８】
さらに、土木構築物の施工時に、従来は、コンクリート充填前に、土木構築ブロックの十分な自立性を確保するために、積み上げた土木構築ブロックの背面に鉄筋を配設して、これらを溶接する工程が必要であった。かかる溶接工程は、熟練の溶接工が当たる必要がある一方で、非常に煩雑な作業であり、さらには、降雨時は作業ができないという問題があり、工期の短縮を図る上で一つの障害となっていた。このため、従来の土木構築ブロックを用いた土木構築物の施工方法では、施工コストが嵩んでしまうという問題があった。
【０００９】
そこで、本発明は、効率的な積載・運搬を可能にし、運搬コストを低減することのできる土木構築ブロックを提供することを目的とする。
【００１０】
また、本発明は、土木構築物の施工時の作業を容易にし、工期を短縮することのできる土木構築ブロックを提供することを目的とする。
【課題を解決するための手段】
【００１１】
上記課題を解決するための本発明は、以下に示す発明特定事項乃至は技術的特徴を含んで構成される。
【００１２】
すなわち、ある観点に従う本発明は、所定の壁面勾配を有する土木構築物の構築に用いられる土木構築ブロックであり得る。土木構築ブロックは、ブロック本体と、当該ブロック本体の背面に設けられた支持部材とを備え得る。当該支持部材は、当該ブロック本体を、当該所定の壁面勾配を形成する立ち上げ姿勢になるように支持するよう構成され得る。また、当該支持部材は、当該ブロック本体の背面に所定の裏込めコンクリートを充填するための空間を形成するように構成され得る。
【００１３】
当該支持部材は、底端部及び上端部を含み得る。当該底端部及び当該上端部は、当該立ち上げ姿勢において、地面に対して略水平になるように構成され得る。
【００１４】
当該支持部材の上端部は、当該土木建築ブロック上に積み上げられる他の土木建築ブロックの支持部材の底端部を受け支えるように構成され得る。
【００１５】
当該支持部材は、後端部を含み得る。当該後端部は、当該空間を形成するために、当該ブロック本体の背面から所定の距離だけ離間して構成され得る。
【００１６】
また、観点に従う本発明は、複数の土木構築ブロックを段積みすることによって構築される所定の壁面勾配を有する土木構築物であり得る。当該複数の土木構築ブロックのそれぞれは、ブロック本体と、当該ブロック本体の背面に設けられた支持部材とを備え得る。当該支持部材は、当該ブロック本体を、当該所定の壁面勾配を形成する立ち上げ姿勢になるように支持するよう構成され得る。また、当該支持部材は、当該ブロック本体の背面に所定の裏込めコンクリートを充填するための空間を形成するように構成され得る。第１の土木構築ブロック上に第２の土木構築ブロックが段積みされた場合に、当該第１の土木構築ブロックの当該支持部材は、当該第２の土木構築ブロックの当該支持部材に当接し受け支え得る。
【００１７】
段積みされた当該複数の土木構築ブロックは、当接する当該支持部材どうしを締結する締結具を含み得る。
【００１８】
段積みされた当該複数の土木構築ブロックは、当該ブロック本体どうしを連結する連結部材をさらに含み得る。
【００１９】
また、ある観点に従う本発明は、所定の壁面勾配を有する土木構築物を構築する方法であり得る。当該方法では、ブロック本体と、当該ブロック本体の背面に設けられた支持部材とを備える土木構築ブロックが複数準備され得る。次に、第１の土木構築ブロックが、当該ブロック本体が当該支持部材によって当該所定の壁面勾配を形成する立ち上げ姿勢で支持されるように、設置され得る。次に、当該第１の土木構築ブロックの背面の当該支持部材によって形成される空間にコンクリートが充填され得る。当該コンクリートの打設後、次に、第２の土木構築ブロックが、当該第１の土木構築ブロック上に、当該支持部材どうしが当接するように設置され得る。そして、当該第２の土木構築ブロックの背面の当該支持部材によって形成される空間にコンクリートが充填され得る。
【発明の効果】
【００２０】
本発明によれば、土木構築ブロックの効率的な積載・運搬が可能になり、運搬コストが低減されることになる。
【００２１】
また、本発明によれば、土木構築物の施工時の作業が容易になり、工期を短縮することができるようなり、施工コストを低減することができるようになる。
【００２２】
本発明の他の技術的特徴、目的、及び作用効果乃至は利点は、添付した図面を参照して説明される以下の実施形態により明らかにされる。
【図面の簡単な説明】
【００２３】
【図１】本発明の一実施形態に係る土木構築ブロックを用いた土木構築物の一例を示す側断面図である。
【図２】本発明の一実施形態に係る土木構築ブロックの一例を示す後方斜視図である。
【図３】本発明の一実施形態に係る土木構築ブロックの一例を示す側面図である。
【図４】本発明の一実施形態に係る土木構築ブロックの一例を示す背面図である。
【図５】本発明の一実施形態に係る土木構築ブロックの一例を示す後方斜視図である。
【図６】本発明の一実施形態に係る土木構築ブロックの一例を示す側面図である。
【図７】本発明の一実施形態に係る土木構築ブロックの一例を示す背面図である。
【図８】本発明の一実施形態に係る土木構築ブロックが段積みされた状態を説明するための背面図である。
【図９】本発明の一実施形態に係る土木構築ブロックが段積みされた状態を説明するための部分後方斜視図である。
【図１０】本発明の一実施形態に係る土木構築ブロックを土木構築物の施工方法の一例を説明するための図である。
【図１１】本発明の一実施形態に係る土木構築ブロックを土木構築物の施工方法の一例を説明するための図である。
【図１２】本発明の一実施形態に係る土木構築ブロックを土木構築物の施工方法の一例を説明するための図である。
【図１３】本発明の一実施形態に係る土木構築ブロックを土木構築物の施工方法の一例を説明するための図である。
【図１４】本発明の一実施形態に係る土木構築ブロックの一例を示す側面図である。
【発明を実施するための形態】
【００２４】
以下、図面を参照して本発明の実施の形態を説明する。ただし、以下に説明する実施形態は、あくまでも例示であり、以下に明示しない種々の変形や技術の適用を排除する意図はない。本発明は、その趣旨を逸脱しない範囲で種々変形（例えば各実施形態を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２５】
図１は、本発明の一実施形態に係る土木構築ブロックを用いた土木構築物の一例を示す側断面図である。同図に示されるように、土木構築物１は、例えば、擁壁や護岸等を構成する構築物であって、土木構築ブロック２が順次に段積みされることにより構築される。本例では、基礎砕石３の上に基礎用土木構築ブロック２Ａが設置され、その上に積上げ用土木構築ブロック２Ｂが設置されている。基礎用土木構築ブロック２Ａは、根入れブロックとして用いられても良い。本例では、基礎用土木構築ブロック２Ａ上に、積上げ用土木構築ブロック２Ｂが１段だけ積み上げられているが、これに限られず、２段以上積み上げられても良いし、あるいは、基礎用土木構築ブロック２Ａのみの設置でも良い。
【００２６】
土木構築ブロック２は、護岸等として十分に耐え得る厚みを有する、正面視例えば略矩形のコンクリート製のブロック本体２１（図２等参照）を含む構築材である。ブロック本体２１の形状及び大きさは、適宜に選択され得る。ブロック本体２１の表面は、例えば、見かけ上、複数の擬石ブロックが設けられたように形成されていても良いし、幾何学的テクスチャが形成されていても良い。あるいは、自然環境により調和するように、その表面に、例えば自然石が埋め込まれたものであっても良い。上述したとおり、本例では、土木構築ブロック２として、基礎用土木構築ブロック２Ａと、積上げ用土木構築ブロック２Ｂとが提供される。
【００２７】
土木構築ブロック２の背面には、裏込めコンクリート４が充填ないしは打設される。すなわち、土木構築ブロック２の背面には支持部材２２が設けられており、支持部材２２及びスペーサＳによって形成される、土木構築ブロック２の背面と砕石等の裏込め材５との間の空間に、裏込めコンクリート４が充填され、これにより、土木構築ブロック２が、裏込めコンクリート４と一体化される。なお、土木構築物１の天端には、天端コンクリート６が設けられている。
【００２８】
図２ないし図４は、本発明の一実施形態に係る土木構築ブロックの一例を示す図である。具体的には、図２は、基礎用土木構築ブロック２Ａの後方斜視図、図３は、その側面図、及び、図４は、その背面図である。
【００２９】
これらの図に示されるように、基礎用土木構築ブロック２Ａは、設置時の安定性を高めるための基礎部２３がブロック本体２１の下端に設けられている。このような基礎用土木構築ブロック２Ａを用いることで、基礎コンクリートの打設を不要とし、これにより、工期の短縮を図ることができる。
【００３０】
ブロック本体２１の背面には、その立ち上がり方向に並行に延在する例えば２つの支持部材２２が、ブロック本体２１を立ち上げ姿勢で自立可能に支持するように又は自立を補助するように設けられている。支持部材２２は、例えば板状ないしはＬ字状の鉄鋼材によって組まれたフレーム状部材であり、例えば前端部２２１、底端部２２２、上端部２２３及び後端部２２４を含む。本例では、支持部材２２は、前端部２２１が、ブロック本体２１の背面にボルト等の締結具によって締結されることによって、ブロック本体２１に固着されている。より具体的には、例えば、支持部材２２は、ブロック本体２１の背面に埋め込まれたインサートナットの挿通穴に対して、前端部２２１に形成された挿通穴が位置合わせされ、そこにボルトを挿通し締結することにより、ブロック本体２１に固着される。
【００３１】
底端部２２２及び上端部２２３は、例えば、基礎用土木構築ブロック２Ａの設置時の勾配角に合わせて地面に対して略水平になるように形成されている。これによって、支持部材２２の底端部２２２は、地面に抗して、基礎用土木構築ブロック２Ａそのものの自立性を確保する一方、上端部２２３は、他の土木構築ブロック２、すなわち、その上に積み上げられる積上げ用土木構築ブロック２Ｂの支持部材２２の底端部２２２に当接し、これを受け支えることができるようになっている。上端部２２３には、例えば、ボルト等の締結具を挿通するための取り付け穴２２ａが形成されても良く、上端部２２３は、当該締結具によって、当接する他の土木構築ブロック２の底端部２２２と締結されるように構成されても良い（図９参照）。また、上端部２２３は、例えば図２に示されるように、その両端部分と相俟って、折り返し形状を形成する。これにより、例えば、クレーン等のフックを当該折り返し形状部分に引っかけることにより、基礎用土木構築ブロック２Ａの吊り下げを可能にし、運搬等が容易になる。
【００３２】
後端部２２４は、ブロック本体２１の立ち上がり方向に沿って延在するように形成されている。後端部２２４の所定の箇所には、例えば打設コンクリートのかぶり厚を確保するためのスペーサＳを取り付けるための取付部（本例では穴２２ｂ）が設けられている。これにより、後端部２２４は、施工時に、穴２２ｂに取り付けられたスペーサＳを介して抜き型枠Ｆに沿ってブロック本体２１を支持し得る。スペーサＳの形状及びサイズは、適宜のものが選択され得る。本例では、後端部２２４は、側面視直線状に形成されているが、これに限られず、施工時に当接する表面の形状に合わせた形状に形成されても良い。ブロック本体２１の背面と後端部２２４との間の距離は、充填される裏込めコンクリート４の望まれる厚さに応じて適宜に選択される。
【００３３】
支持部材２２は、所定の強度を確保するため、例えば梁部２２５を含み得る。あるいは、梁部２２５に代え又はこれに加えて、筋交い２２６を含み得る（図１４参照）。
【００３４】
また、上記の例では、支持部材２２は、前端部２２１を有する構成であるが、これに限られるものでなく、例えば、前端部２２１を省略し、ブロック本体２１の背面に底端部２２２及び上端部２２３が取り付けられる構成であっても良い。
【００３５】
なお、土木構築ブロック２を所望の位置に精確に据え付けることができるように、ブロック本体２１の上面部分及び下面部分に相互補完的形状（例えば雄雌形状）の位置決め部材が形成されても良い。
【００３６】
図５ないし図７は、本発明の一実施形態に係る土木構築ブロックの一例を示す図である。具体的には、図５は、積上げ用土木構築ブロック２Ｂの後方斜視図、図６は、その側面図、及び、図７は、その背面図である。
【００３７】
積上げ用土木構築ブロック２Ｂは、典型的には２段目以降に設置されるブロックであることから基礎部２３を有していない点を除いて、基礎用土木構築ブロック２Ａと略同様の構成を有するため、その説明を適宜に省略する。なお、積上げ用土木構築ブロック２Ｂは、基礎用土木構築ブロック２Ａに代えて、１段目のブロックとして用いられても良く、この場合、例えば、基礎コンクリートを打設後、そこに積上げ用土木構築ブロック２Ｂを１段目として設置される。
【００３８】
図８は、本発明の一実施形態に係る土木構築ブロックが段積みされた状態を説明するための背面図である。同図に示されるように、土木構築ブロック２が積み上げられる場合、下段に位置する土木構築ブロック２は、その支持部材２２の上端部２２３によって、上段に位置する土木構築ブロック２の支持部材１１２の底端部２２２を受け支える。
【００３９】
土木構築ブロック２同士は、例えば、板状ないしはＬ字状鋼材からなる連結部材２４によって連結されても良い。例えば、連結部材２４は、ブロック本体２１の背面左右両端部に埋め込まれたインサートナットの挿通穴に位置合わせされ、そこにボルト２４ａを挿通し、締結することにより、土木構築ブロック２同士を連結する。また、上下段の土木構築ブロック２同士の連結をさらに強固なものにするために、上述したように、図９に示すように、相対する支持部材２２をボルト等の締結具によって締結固定しても良い。
【００４０】
次に、図１０ないし図１２を参照して、図１に示されるような土木構築物１を構築するための方法について説明する。
【００４１】
まず、土木構築物１を構築しようとする現場の所定の施工区間で床掘りが行われた後、基礎砕石が敷き詰められる。なお、河川等の護岸の構築工事であれば、必要に応じて、水替えが行われる。続いて、砕石等の裏込め材５が所望の法勾配を形成するように投入され、締め固められる。裏込め材５は、典型的には、充填しようとする裏込めコンクリート４の高さと略同じ高さまで形成される、これに限られるものではない。後述するように、本例では、裏込めコンクリート４の充填高さは、ブロック本体２１の高さよりもやや低く設定される。
【００４２】
次に、図１０に示されるように、基礎砕石３の上に、基礎用土木構築ブロック２Ａが設置される。この場合、基礎用土木構築ブロック２Ａは、ブロック本体２１Ａの底部と支持部材２２の底端部２２２とによって、基礎用土木構築ブロック２Ａが所定の壁面勾配を保った状態で、自立し得る。なお、段積みされる土木構築ブロック２同士を連結部材２４を介して連結する場合には、予め連結部材２４が基礎用土木構築ブロック２Ａのブロック本体２１の背面に取り付けられたものを設置しても良いし、設置後に連結部材２４を取り付けても良い。
【００４３】
次に、裏込め材５の前面に、すなわち、支持部材２２の後端部２２４と裏込め材５との間に例えばスペーサＳを介して抜き型枠Ｆが配設される。抜き型枠Ｆの配設後、ブロック本体２１Ａの背面空間、すなわち、ブロック本体２１Ａの背面と抜き型枠Ｆとの間の空間に、裏込めコンクリート４が充填される。図１１は、ブロック本体２１Ａの背面空間に裏込めコンクリート４が充填された状態を示している。裏込めコンクリート４は、例えば、最終的に上下段の土木構築ブロック２の結合性を高めるため、ブロック本体２１の１／３程度の高さまで充填される。また、このようにすることで、支持部材２４の上端部２２３の周りの空間が確保されるため、例えば、支持部材２４どうしの締結作業が容易になる。
【００４４】
裏込めコンクリート４が硬化した後、抜き型枠Ｆが撤去され、必要に応じて、追加の裏込め材５が充填される。また、場合によっては、床掘り部分の埋め戻しが行われる。図１２は、裏込めコンクリート４が充填された後、床掘り部分が埋め戻された状態を示している。
【００４５】
以上のようにして、１段目の基礎用土木構築ブロック２Ａが設置され、次段の積上げ用土木構築ブロック２Ｂを積み上げる準備が完了する。続いて、２段目の積上げ用土木構築ブロック２Ｂの設置が行われる。
【００４６】
すなわち、砕石等の裏込め材５が所望の法勾配を形成するように投入され、締め固められた後、１段目の基礎用土木構築ブロック２Ａ上の所定の位置に、所定の壁面勾配が形成されるように、２段目の積上げ用土木構築ブロック２Ｂが積み上げられる。この場合、上述したように、積上げ用土木構築ブロック２Ｂの支持部材２２の底端部２２２は、基礎用土木構築ブロック２Ａの支持部材２２の上端部２２３によって受け支えられる。この状態で、両支持部材２２は、例えばボルト締めされ、連結固着されても良い。続いて、上述したように、裏込め材５の前面に抜き型枠Ｆが配設される。図１３は、積上げ用土木構築ブロック２Ｂが積み上げられた状態を示す図である。この状態で、積上げ用土木構築ブロック２Ｂのブロック本体２１の背面空間に、同様に、裏込めコンクリート４が充填される。そして、裏込めコンクリート４の硬化後、抜き型枠Ｆが撤去され、必要に応じて、追加の裏込め材５が充填される。これにより、さらに次段の積上げ用土木構築ブロック２Ｂを積み上げる準備が完了する。以降、同様に、所望の高さまで積上げ用土木構築ブロック２Ｂを積み上げ、最後に、天端コンクリート６を打設することで、図１に示されるような土木構築物１が構築される。なお、図示されるように、本例では、裏込め材５の壁面勾配が上段部において僅かに緩やかに形成されており、これに対応するように、積上げ用土木構築ブロック２Ｂの後端部２２４の傾斜角は、基礎用土木構築ブロック２Ａのそれよりも緩やかに形成され、抜き型枠Ｆもまた、壁面勾配に合わせて配設される。
【００４７】
図１４は、本発明の他の実施形態に係る土木構築ブロックの一例を示す側面図である。すなわち、同図に示すように、土木構築ブロック２において、支持部材２２は、補強のため、筋交い２２６を含むように構成されても良い。本例では、２つの交差する筋交い２２６が設けられているが、例えば、片方だけであっても良い。
【００４８】
以上のように、本実施形態によれば、土木構築ブロック２は、その背面に支持部材２２が設けられているので、所定の壁面勾配を保ったまま、土木構築ブロック２の自立性を画することができ、作業効率を向上させることができるようになる。
【００４９】
また、本実施形態によれば、土木構築ブロック２に支持部材２２が設けられることで、施工時の溶接作業を不要とし、あるいは最小限に抑えることができ、作業効率を向上させることができるようになる。
【００５０】
さらに、本実施形態によれば、土木構築ブロック２は、コンクリート製の控え柱の代わりに例えば鉄鋼材の支持部材２２が設けられているので、その重量を小さくすることができ、また、運搬時の効率的な積載が可能になり、運搬コストを低減させることができるようになる。
【００５１】
さらに、支持部材２２は、鉄鋼材で作製され得るので、法面に合わせて様々な角度に容易に加工することができる。
【００５２】
上記各実施形態は、本発明を説明するための例示であり、本発明をこれらの実施形態にのみ限定する趣旨ではない。本発明は、その要旨を逸脱しない限り、さまざまな形態で実施することができる。
【００５３】
例えば、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【００５４】
また、本明細書では、さまざまな実施形態が開示されているが、一の実施形態における特定のフィーチャ（技術的事項）を、適宜改良しながら、他の実施形態に追加し、又は該他の実施形態における特定のフィーチャと置換することができ、そのような形態も本発明の要旨に含まれる。
【産業上の利用可能性】
【００５５】
本発明は、土木構築ブロックを用いた土木構築物の分野に広く利用することができる。
【符号の説明】
【００５６】
１…土木構築物
２…土木構築ブロック
２Ａ…基礎用土木構築ブロック
２Ｂ…積上げ用土木構築ブロック
２１…ブロック本体
２２…支持部材
２２１…前端部
２２２…底端部
２２３…上端部
２２４…後端部
２２５…梁部
２２６…筋交い
２３…基礎部
２４…連結部材
３…基礎砕石
４…裏込めコンクリート
５…裏込め材
６…天端コンクリート
Ｆ…抜き型枠
Ｓ…スペーサ
【図１】
2018003476.tif 000003
【図２】
2018003476.tif 000004
【図３】
2018003476.tif 000005
【図４】
2018003476.tif 000006
【図５】
2018003476.tif 000007
【図６】
2018003476.tif 000008
【図７】
2018003476.tif 000009
【図８】
2018003476.tif 000010
【図９】
2018003476.tif 000011
【図１０】
2018003476.tif 000012
【図１１】
2018003476.tif 000013
【図１２】
2018003476.tif 000014
【図１３】
2018003476.tif 000015
【図１４】
2018003476.tif 000016